(57)【要約】【課題】  姿勢及び歩行が安定し、歩行疲れを防止するのに好適な靴底及び靴を提供する。【解決手段】  靴底１０１は、中底１０４が表面部１０４Ａの外周縁を周壁部１１７により取り囲んだカップインソール形状に形成されていて、つま先部１１４の内側１１５が外側１１６よりも高さが低く形成され、つま先部１１４の表面が外側から内側に向けて下向きに傾斜する傾斜面に形成され、中底１０４の横断面が、土踏まず部１１２から踵部の間で表面が下向きに凹の湾曲形状に形成され、中底１０４の表面は、前記踵側の後端が高く、前記踵側の後端１１１から土踏まず部１１２に向けてなだらかに下向きに傾斜する傾斜面に形成した構成としている。【選択図】図４
2020080975.tif 000002
【特許請求の範囲】
【請求項１】
中底の裏面に本底が固定された靴底であって、
前記中底は、表面部の外周縁を周壁部により取り囲んだカップインソール形状に形成されていて、つま先部の内側が外側よりも高さが低く形成され、前記つま先部の表面が外側から内側に向けて下向きに傾斜する傾斜面に形成され、前記中底の横断面が、土踏まず部から踵部の間で表面が下向きに凹の湾曲形状に形成され、前記中底の表面は、前記踵側の後端が高く、前記踵側の後端から前記土踏まず部に向けてなだらかに下向きに傾斜する傾斜面に形成されていることを特徴とする靴底。
【請求項２】
請求項１において、
前記つま先部の傾斜面の傾斜角度は、１０度以下であることを特徴とする靴底。
【請求項３】
請求項２において、
前記つま先部の傾斜面の傾斜角度は、４．７度以上であることを特徴とする靴底。
【請求項４】
請求項１乃至３のいずれか１項に記載の靴底と、足の甲を覆うアッパーとを有することを特徴とする靴。
【発明の詳細な説明】
【技術分野】
【０００１】
本発明は、姿勢及び歩行が安定し、歩行疲れを防止するのに好適な靴底及び靴に関する。
【背景技術】
【０００２】
靴、サンダル等の履物は、例えば靴の底を除いた上の部分がアッパーと、足を支える土台部分の靴底（ソール）により構成され、靴底は中底の裏面に本底の上面が合わさって接着剤等で一体化されている。
【０００３】
靴等の履物において、歩行時の姿勢安定、歩き易さを左右する重要な部材として靴底がある。このような靴底は、つま先側が低く、かかと側を高くなるように傾けた構造を有している（特許文献１）。
【先行技術文献】
【特許文献】
【０００４】
【特許文献１】特開２０１３−２０８１９９号公報
【発明の概要】
【発明が解決しようとする課題】
【０００５】
しかしながら、特許文献１に開示の靴底は、つま先側が低く、かかと側を高くした傾斜構造としているだけであり、靴底のさらなる開発が望まれる。
【０００６】
そこで、本発明は、このような従来の技術の有する未解決の課題に着目してなされたものであって、姿勢及び歩行が安定し、歩行疲れを防止するのに好適な靴底及び靴を提供することを目的としている。
【課題を解決するための手段】
【０００７】
〔発明１〕  上記目的を達成するために、発明１の靴底は、中底の裏面に本底が固定された靴底であって、前記中底は、表面部の外周縁を周壁部により取り囲んだカップインソール形状に形成されていて、つま先部の内側が外側よりも高さが低く形成され、前記つま先部の表面が外側から内側に向けて下向きに傾斜する傾斜面に形成され、前記中底の横断面が、土踏まず部から踵部の間で表面が下向きに凹の湾曲形状に形成され、前記中底の表面は、前記踵側の後端が高く、前記踵側の後端から前記土踏まず部に向けてなだらかに下向きに傾斜する傾斜面に形成されている。
【０００８】
〔発明２〕  さらに、発明２の靴底は、発明１の靴底において、前記つま先部の傾斜面の傾斜角度は、１０度以下である。
【０００９】
〔発明３〕  さらに、発明３の靴底は、発明２の靴底において、前記つま先部の傾斜面の傾斜角度は、４．７度以上である。
【００１０】
〔発明４〕  一方、上記目的を達成するために、発明４の靴は、発明１乃至３のいずれか１の靴底と、足の甲を覆うアッパーとを有する。
【発明の効果】
【００１１】
以上説明したように、発明１の靴底によれば、中敷を予め中底表面に設置する必要がなく、靴を履くだけで、姿勢及び歩行が安定し、歩行疲れを防止することができる。特に、つま先部の高さを外側よりも内側を低くすることにより姿勢及び歩行安定効果と歩行疲れを防止効果は、足の親指と小指を周壁部によりホールドする作用と、中底の横断面が、土踏まず部から踵部の間で表面を下向きに凹の湾曲形状に形成することによる体重圧が全体的に表面部に加わり、前記中底表面を前記踵側の後端が高く、前記踵側の後端から前記土踏まず部に向けてなだらかに下向きに傾斜する傾斜面に形成することにより、靴を履くとつま先の足裏全体に自然と体重圧が加わり、前屈みや反っくり返ることなく直立姿勢となる作用が得られる。これら作用による相乗効果によって、靴を履くだけで、姿勢及び歩行安定性が良く、歩行疲れを防止することができる。
【００１２】
さらに、発明２の靴底によれば、姿勢及び歩行の安定性をさらに向上することができる。
【００１３】
さらに、発明３の靴底によれば、姿勢及び歩行の安定性をさらに向上することができる。
【００１４】
一方、発明４の靴によれば、中敷きなどを別に用意することなく、靴を履くだけで姿勢及び歩行が安定し、歩行疲れを防止できる。
【図面の簡単な説明】
【００１５】
【図１】本発明による靴の実施形態を示すルームシューズの右足の上面図である。
【図２】図１に示すルームシューズの内側側面図である。
【図３】図１に示すルームシューズと対をなす左足のルームシューズの中底の正面図である。
【図４】図３に示す中底のつま先部におけるＢ−Ｂ線断面図である。
【図５】本発明の前提となる靴のカップインソールタイプの中敷の分解斜視図で、左足用の中敷を示す図である。
【図６】図５に示すカップインソールタイプの中敷のインソール本体部の正面図である。
【図７】図６に示すインソール本体部のつま先部におけるＡ−Ａ線断面図である。
【図８】（ａ）は図６に示す左足用のインソール本体部と対をなす右足用インソール本体部の指先部から踵部までの長さ方向における複数個所の左右側面の高さを示す図、（ｂ）は横断面形状を示す図である。
【発明を実施するための形態】
【００１６】
以下、本発明を図面に示す実施形態に基づいて詳細に説明する。
本発明の実施形態の説明を行う前に、本発明の前提となる技術を図５から図８を参照して説明する。
【００１７】
＜前提技術＞
図５において、カップインソールタイプの中敷１は、左足用の中敷で、インソール本体部１０の上に上生地部２０が重ねられ、接着剤により接着される。中敷１は、例えば図７に示すように、靴本体２に取り外し可能となっている。なお、本前提技術の中敷１は、カップインソールタイプに限定されるものではなく、靴本体に対して接着されるタイプであってもよい。インソール本体部１０は低反発素材により三次元立体形状に形成されている。
【００１８】
図５、図８に示すように、インソール本体部１０は、踵側の後端１１から土踏まず部１２を経てつま先側の先端１３に向うに従って肉厚が薄く形成される。また、インソール本体部１０の表面は、後端１１が高く、土踏まず部１２に向って表面がなだらかに下向きに傾斜し、つま先部１４から先端１３に向って上向きに傾斜している。インソール本体部１０の横断面は、図８（ｂ）に示すように、つま先部から踵部の間で底面が下向きに凸の湾曲形状で、土踏まず部から踵部の間で表面が下向きに凹の湾曲形状に形成されている。このように、インソール本体部１０の底面及び表面を湾曲形状に形成することにより、体重圧がインソール本体部１０の外周縁部に加わると、外周縁部が全体的に下方に向けて変形するため、土踏まず部を含め足裏全体に満遍なく体重圧がかかる。
【００１９】
図６に示すように、左足用のインソール本体部１０は、図中の左側が左足の親指側となる内側１５であり、図中の右側が左足の小指側となる外側１６である。左足用のインソール本体部１０は、つま先部１４において、内側１５の肉厚を外側１６の肉厚よりも薄くし、幅方向（左右方向）において内側１５を外側１６よりも低くしている。
【００２０】
図７に示すように、三次元立体形状に形成されたインソール本体部１０は、つま先部１４の表面が外側１６から内側１５に向けて傾斜角度θで下向きの傾斜面に形成されている。本実施形態において、傾斜角度θは５度としている。なお、傾斜角度θは５度に限定されるものではなく、つま先部１４の表面において外側１６が高く内側１５が低い傾斜面に形成されていればよい。もちろん、右足用の中敷についても同様である。
【００２１】
中敷１において、つま先部１４の内側１５を外側１６よりも低くすると、左右の足の膝が内側に入り、太ももや腰等が引き締まる。その結果、立ち姿勢がよくなり、前屈みや反っくり返ったりすることがない。また歩幅が広くなる。このような効果が最も発揮される傾斜角度は５度であり、５度から１０度の範囲でも同様の効果が得られる。もちろん、５度、４．７度以下でも０度でなければよく、要するに中敷１を備えた靴を履くと、両膝が自然に内側に向く傾斜角度θであればよい。
【００２２】
上生地部２０はインソール本体部１０の上面形状に合致する三次元立体形状に形成され、例えば低反発素材の基部２１の上に革製又は布製の生地２２が接着剤により接着されている。上生地部２０は靴を履いた人の足裏に直接接する部材である。このため、インソール本体部１０のつま先部１４における傾斜角度θを阻害せず、傾斜角度θを足裏に伝える三次元立体形状に形成される。
【００２３】
中敷き１のインソール本体１０は、傾斜角度θを設けることにより姿勢及び歩行安定性、歩行疲れの防止を図ることができる効果を有する。さらに、この効果をより一層引き立たせる構成として、インソール本体部１０の横断面をつま先部から踵部の間で底面が下向きに凸の湾曲形状で、土踏まず部から踵部の間で表面が下向きに凹の湾曲形状に形成し、インソール本体部１０の表面を後端１１が高く、土踏まず部１２に向って表面がなだらかに下向きに傾斜させている。これらの構成によれば、土踏まず部を含め足裏全体に満遍なく体重圧が加わるので、足の外側の小指と内側の親指にも満遍なく体重圧が加わる。インソール本体部１０の表面を後端１１が高く、土踏まず部１２に向って表面がなだらかに下向きに傾斜させることにより、靴を履くとつま先の足裏全体に自然と体重圧が加わり、前屈みや反っくり返ることなく直立姿勢となる。
【００２４】
本前提技術の中敷１は、スニーカー、ハイヒール、ゴルフシューズなどの運動用シューズ、妊婦用シューズ、通勤用の靴等の靴に適用することができる。また、上生地部２０を設けずにインソール本体部１０のみの構成であってもよい。
【００２５】
以下に、中敷１のつま先部１４の傾斜角度とその効果についての評価を以下に示す。
＜前提技術の実施例＞
評価方法は、つま先部１４の傾斜角度θが０度（フラット）の中敷（以下「フラット中敷」という。）と、傾斜角度４．７（５）度（以下「５度中敷」という。）と、傾斜角度θが１０度（以下「１０度中敷」という。）の３種類のインソールタイプの中敷を用意した。なお、傾斜角度は５度をターゲットとしたが測定精度等により傾斜角度が４．７度となった。
【００２６】
次に、妊婦用靴本体にフラット中敷を備えた妊婦用靴を比較例１、同靴本体に５度中敷を備えた靴を実施例１、同靴本体に１０度中敷を備えた靴を実施例２とした。
【００２７】
さらに、ハイヒール本体にフラット中敷を備えたハイヒールを比較例２、同ハイヒール本体に５度中敷を備えたハイヒールを実施例３、同ハイヒール本体に１０度中敷を備えたハイヒールを実施例４とした。
【００２８】
一方、２人の被験者（被験者１と被験者２）にそれぞれ上記３種類の妊婦用靴と、ハイヒールをそれぞれ履き、（１）静立姿勢、（２）歩行姿勢、（３）歩行幅、（４）歩行安定性、（５）静立姿勢の安定性、（６）縦軸重心位置の変動について評価した。
【００２９】
妊婦用靴についての検証結果を表１、表２、表３に示す。ハイヒールについての検証結果を表３、表４、表５に示す。
【００３０】
被験者１は妊婦、被験者２は女性の会社員である。
（１）静立姿勢の評価
着靴時の静立姿勢の評価は、画像解析による立位姿勢角度から数量的に検証する。具体的には、着靴時の立位姿勢を前面と側面から撮影し、正しい姿勢、前傾姿勢、後傾姿勢を数量的に検証する。ここで、正しい立位姿勢とは、外側踵骨部を基点として垂直線を引き、膝部・腸骨稜・肩部（肩峰）・耳部（耳穴）が直線状に位置していることを言う。本検証では、外踝を基点した垂直線から前頭部までの角度が５．０度を正しい立位姿勢としている（表１、表４）。
【００３１】
（２）歩行姿勢の評価
着靴時の歩行姿勢の評価は、トレッドミルの速度を４.５[km/h]に設定した時の歩行状態を横から撮影し、片足支持状態の支持足を基点にした垂直線に対し、前頭部位置の角度（歩行姿勢角度）から検証した。
【００３２】
（３）歩行幅の評価
歩行幅の評価は、歩行姿勢の評価と同様に、トレッドミルの速度を設定し、歩行時の両足接地時の後足のつま先から、前足のつま先までの歩幅で数量的に検証した。
【００３３】
（４）歩行の安定性の評価
着靴歩行時の踵部接地状態から歩行の安定性を数量的に検証する。歩行時の踵部接地状態の測定は、（２）の歩行姿勢の評価と同様に速度を設定し、着靴歩行時の踵部接地状態を後方から撮影し、基準線に対する踵接地状態から数量的に検証した。
【００３４】
（５）静立姿勢の安定性の評価
静立姿勢の安定の評価は、正しい姿勢が確保できているかを、（イ）足底圧力分布図により左右の足の荷重差と、（ロ）縦軸重心位置から数量的に検証した（表２、表５）。具体的には、ＦＰＳ（足底圧力測定装置：一画面）を用いて、静立時の足底圧力分布図から、足裏全体での立位姿勢が確保できているかを、（イ）左右の足の荷重差から検証した（表２、表５）。なお、足底圧力分布図の圧力値の範囲は、４４[gf/cm2]から４００[gf/cm2]に設定した。（ロ）縦軸重心位置は、踵（０％）からつま先（１００％）までの縦軸重心位置から立位時の安定を数量的に評価するもので、最安定領域を４８％〜５３％としている（表２、表５）。
【００３５】
（６）歩行時の重心位置の変動の評価
歩行時の重心位置の変動は、足底圧力分布図から重心位置を算出し、踵接地から前足部での蹴り出しまでの重心位置の変動を数量的に解析して検証する。なお、圧力の測定範囲を、５２[gf/cm2]から６４０[gf/cm2]に設定した。
【００３６】
Ａ：妊婦用靴着靴時の評価結果（表１、表２、表３参照）
（Ａ１）静立姿勢の評価結果
表１に示すように、比較例１の立位姿勢角度（平均）は５．９度、実施例１の立位姿勢角度（平均）は５．２度、実施例２の立位姿勢角度（平均）は４．３度であった。よって、実施例１の靴を履いた場合が最も基準値（５．０度）に近く、より安定した立位姿勢が確保できていると判断でき、評価「優」とした。実施例２は４．３度と少し棒立ち姿勢ではあるが、前傾し過ぎではないので「可」とした。比較例１は前傾し過ぎと判断し、「不可」と評価した。
【００３７】
【表１】
2020080975.tif 000003
（Ａ２）歩行姿勢の評価結果
表１に示すように、比較例１の立位姿勢角度（平均）は７．１度、実施例１の立位姿勢角度（平均）は６．４度、実施例２の立位姿勢角度（平均）は６．７度であった。よって、実施例１の靴が最も安定した歩行姿勢が確保できていると判断し、評価を「優」とした。実施例２は実施例１よりも少し前傾となるが、大きく前傾しないので、評価を「可」とした。しかし、比較例１は大きく前傾したので、評価を「不可」とした。
【００３８】
（Ａ３）歩行幅の評価結果
直立に近い姿勢が保持できている場合、膝関節も伸展し大きな歩行幅が確保できる。それに比べ、前傾姿勢が深い場合は、身体全体が「くの字姿勢」なるため膝関節も伸びず歩行幅も小さくなる。
【００３９】
表１に示すように、着靴時の歩行幅は、歩行時の片足支持姿勢角度が最も小さかった実施例１の歩幅が６５[cm]と最も大きく、次いで実施例２の歩幅が６２[cm]、比較例１の歩幅が６１[cm]であった。歩幅の評価結果は、実施例１を「優」、実施例２と比較例１を「可」とした。これにより、正しい姿勢の確保が広い歩幅につながることが伺える。
【００４０】
（Ａ４）歩行の安定性の評価結果
歩行の安定性は、両足を揃えて立った時の中央線を基準として、歩行時の踵接地位置が、基準線に接地していることを安定とし、基準線から左右ズレていることを不安定として検証した。
【００４１】
検証結果は、被験者１の場合、比較例１の靴を履いた時のズレは２か所、実施例１の靴を履いた時は無、実施例２の靴を履いた時は４か所であった。
【００４２】
一方、被験者２の場合、比較例１の靴を履いた時のズレは４か所、実施例１の靴を履いた時は２か所、実施例２の靴を履いた時は５か所であった。
【００４３】
よって、評価結果は、実施例１が最も安定しているので「優」、次いで比較例１、最も左右にズレているのが実施例２であったが、比較例１と実施例２を「不可」とした。
【００４４】
（Ａ５）静立時の安定性の評価
静立時の安定性は、足底圧力分布図から解析する静立時の安定は、左右の足荷重差が小さいこと、縦軸重心位置の数値から４８％から５３％の最安定領域に位置していることで評価した。
【００４５】
表２に示すように、評価結果は、比較例１の場合は左右荷重差が６．３％、実施例１の場合は２．４％、実施例２の場合が１．１％であった。
【００４６】
縦軸重心位置については、比較例１の場合が５５％、実施例１の場合が５０％、実施例２の場合が５２．７％であった。
【００４７】
よって、実施例１と実施例２が最も安定した立位と判断し、共に「優」と評価した。しかし、比較例１は左右の足の荷重差が大きいので「不可」と評価した。
【００４８】
【表２】
2020080975.tif 000004
（Ａ６）縦軸重心位置の変動の評価
踵設地期から片足支持移行期、蹴り出し移行期（表３中の符号１〜８参照）において、歩行時の縦軸重心位置変動を、踵接地期から片足支持移行期、蹴り出し移行期の重心位置変動から評価した。
【００４９】
表３に示すように、片足支持期までは、比較例１、実施例１、実施例２について重心位置変動にはそれぞれ差は認められなかったが、蹴り出し移行期から蹴り出しまでの変動をみると、比較例１と実施例２に比べ、実施例１は、スムーズな重心位置の変動がみられ、また蹴り出しも靴先での蹴り出している（８４．０％）ので、評価を「優」とし。実施例２もつま先で蹴り出している（７９．２％）ので、評価を「可」とした。しかし、比較例１はつま先での蹴り出しが弱い（７６．６％）ので、「不可」と評価した。
【００５０】
【表３】
2020080975.tif 000005
Ｂ：ハイヒール着靴時の評価結果（表４、表５、表６参照）
ハイヒール着靴時の（Ｂ１）静立姿勢の評価、（Ｂ２）歩行姿勢の評価、（Ｂ３）歩行幅の評価、（Ｂ４）歩行の安定性の評価、（Ｂ５）静立時の安定性の評価、（Ｂ６）縦軸重心位置の変動の評価は、妊婦用靴の着靴時の評価（Ａ１）〜（Ａ６）と同様に行った。
【００５１】
（Ｂ１）静立姿勢の評価結果
静立姿勢の評価結果を表４に示す。
比較例２の立位姿勢角度は６．２度、実施例３は５．１度、実施例４は５．５度であった。よって、実施例３の靴を履いた時が最も基準値に近く、より安定した立位姿勢が確保できていると判断し、評価結果を「優」とした。
【００５２】
【表４】
2020080975.tif 000006
（Ｂ２）歩行姿勢の評価結果
表４に示すように、比較例２の靴を履いた時の立位姿勢角度は６．１度、実施例３の靴を履いた時の立位姿勢角度は６．１度、実施例４の靴を履いた時の立位姿勢角度は６．２度であった。よって、実施例３の靴を履いた時が最も基準値に近く、より安定した歩行姿勢が確保できていると判断し、「優」と評価した。実施例４も基準値に近いので、「可」と評価した。しかし、比較例２は基準値から離れているので、「不可」と評価した。
【００５３】
（Ｂ３）歩行幅の評価結果
歩行幅の評価は、直立に近い姿勢が保持できている場合は、膝関節も伸展し大きな歩行幅が確保でき歩行効率も高い。それに比べ、前傾姿勢が深い場合は、身体全体が「くの字姿勢」なるため膝関節も伸びず歩行幅も小さくなることに基づいて判断した。
【００５４】
歩幅の評価結果は、歩行時の片足支持姿勢角度が最も小さかった実施例３の靴を履いた時の歩幅が６２．５[cm]と最も大きく、次いで実施例４の靴を履いた時の歩幅が６１[cm]、比較例２の靴を履いた時の歩幅が５８．５[cm]であった。したがって、実施例３を「優」と評価し、実施例４と比較例２を「可」と評価した。このことより、正しい姿勢の確保が、広い歩幅につながる。
【００５５】
（Ｂ４）歩行の安定性の評価結果
歩行の安定性の評価結果は、被験者１の場合、比較例２の靴を履いた時のズレが１か所、実施例３の靴を履いた時が１か所、実施例４の靴を履いた時が３か所であった。被験者２の場合、比較例２の靴を履いた時のズレが５か所、実施例３の靴を履いた時のズレが４か所、実施例４の靴を履いた時のズレが５か所であった。これより、実施例３の靴を履いた時が最も安定していたので「優」と評価し、比較例２と実施例４は「不可」と評価した。
【００５６】
（Ｂ５）静立時の安定性の評価
表５に示すように、静立時の安定性の評価結果は、比較例２の靴を履いた場合の左右荷重差は８．７％、実施例３の靴を履いた時が１．１％、実施例４の靴を履いた時が１．８％であった。縦軸重心位置については、比較例２の靴を履いた時が６３．８％、実施例３の靴を履いた時が６２．６％、実施例４の靴を履いた時が６５．３％であった。比較例２と実施例３と実施例４は縦軸重心位置に大きな差はないが、比較例２は左右荷重差が実施例３，４に較べて大きいので「不可」と評価し、実施例３、４を「優」と評価した。
【００５７】
【表５】
2020080975.tif 000007
（Ｂ６）縦軸重心位置の変動の評価
表６に示すように、縦軸重心位置の変動の評価結果は、片足支持期までは比較例２、実施例３、実施例４の靴を履いた時の各重心位置変動には、それぞれ差は認められなかったものの、蹴り出し移行期から蹴り出しまでの変動をみると、比較例２と実施例４の靴を履いた時に比べ、実施例３の靴を履いた時はスムーズな重心位置の変動がみられ、また蹴り出しも靴先（番号８）で蹴り出している（８３．１％）ので、実施例３を「優」と評価した。実施例４のつま先の蹴り出しは大きいので（７８．１％）、「可」と評価したが、比較例２は蹴り出しが弱い（７６．８％）ので、「不可」と評価した。
【００５８】
以上のような評価結果を総合的に判断すると、フラット中敷は「可」と判断される項目もあるが「不可」と評価され、５度中敷は「優」と評価され、１０度中敷は「可」と評価される。
【００５９】
【表６】
2020080975.tif 000008
上記実施例によれば、姿勢及び歩行が安定する結果、骨盤矯正の効果、Ｏ脚矯正の効果、内腿強化の効果（＝ダイエット効果）及び妊婦にあっては早産防止の効果が得られる。
【００６０】
＜実施形態＞
次に、本発明を図面に示す実施形態に基づいて詳細に説明する。
図１および図２において、靴１０１はいわゆるルームシューズで、左右一対の靴の一方である右足用を示している。靴１０１は靴底１０２とアーチ形状のアッパー（甲表）１０３により構成されている。靴底１０２は、中底１０４の裏面に本底１０５を接着剤により接着した構成としている。
【００６１】
図３に示すように、中底１０４は、例えば低反発素材により三次元立体形状に形成されている。中底１０４の上面をなす表面部１０４Ａ表面形状は、前提技術の図６〜図８に示すインソール本体１０の表面形状と同様の形状としている。すなわち、中底１０４の表面形状は、踵側の後端１１１が高く、土踏まず部１１２に向って表面がなだらかに下向きに傾斜し、つま先部１１４から先端１１３に向って上向きに傾斜している。
【００６２】
図３に示すように、左足用の中底１０４は、左側が左足の親指側となる内側１１５であり右側が左足の小指側となる外側１１６である。左足用の中底１０４は、つま先部１１４において、内側１１５の肉厚を外側１１６の肉厚よりも薄くし、幅方向（左右方向）において内側１１５の表面を外側１１６の表面よりも低くしている。
【００６３】
中底１０４は、表面の外周縁に沿って周壁部１１７が周囲を取り囲むように上方に向けて一体的に立設されてカップインソール形状を形成している。中底１０４は、表面部１０４Ａと周壁部１１７が一体に形成され、足は周側面が周壁部１１７の内周面に包み込まれるように装着される。
【００６４】
図４に示すように、三次元立体形状に形成されたカップインソール形状の中底１０４は、図７に示すインソール本体１０と同様に、つま先部１１４の表面が外側１１６から内側１１５に向けて傾斜角度θで下向きの傾斜面に形成されている。本実施形態において、傾斜角度θは５度としている。なお、傾斜角度θは５度に限定されるものではなく、つま先部１１４の表面において外側１１６が高く内側１１５が低い傾斜面に形成されていればよい。もちろん、右足用の中底についても同様である。
【００６５】
中底１０４において、つま先部１１４の内側１１５を外側１１６よりも低くすると、図５〜図８に示す前提技術のインソール本体１０と同様に、左右の足の膝が内側に入り、太ももや腰等が引き締まる。その結果、立ち姿勢がよくなり、前屈みや反っくり返ったりすることがない。また歩幅が広くなる。このような効果が最も発揮される傾斜角度は５度であり、５度から１０度の範囲でも同様の効果が得られる。もちろん、５度、４．７度以下でも０度でなければよく、要するに本実施形態の靴底２を備えた靴１を履くと、両膝が自然に内側に向く傾斜角度θであればよい。
【００６６】
本実施形態の靴１によれば、中底１０４のつま先部１１４において、表面部１０４Ａに載る足指は、外側の小指側がから内側の親指側に向けて下がっている。必然的に親指には内側に向けた力が加わり、親指が接する周壁部１１７の内周壁面に当接し、反力で親指の指裏で中底１０４の表面部１０４Ａを幅方向外側に向けて押す。しかし、本実施形態では、周壁部１１７と表面部１０４Ａは一体に成形されているため、表面部１０４Ａが幅方向外側に向けてズレ動くことはない。したがって、歩行時に足が左右方向にズレ動くことがないため、疲れを生じさせない。
【００６７】
すなわち、中底１０４の表面部１０４Ａは、つま先部１１４が外側から内側に向け下向きに傾斜角度θで傾斜しているため、靴１０１を履くだけで、前提技術の中敷きを設けることなく姿勢及び歩行が安定し、歩行疲れを防止することができる。
【００６８】
本実施形態の靴底１０２は、中底１０４が本底１０５に接着され、底面が平坦面であるため、中底１０４は、前提技術のインソール本体１０のように表面部１０４Ａの外周縁が下向きに変形する変形量が少ない。しかし、本実施形態では、中底１０４は周壁部１１７が一体に成形されたカップインソールタイプの構造としているため、周壁部１１７により足指の幅方向の動きが阻止され、土踏まず部が表面部１０４Ａに対して位置ズレを生じることなく所定位置にホールドされる。したがって、つま先部において、内側の親指と外側の小指が傾斜角度θで傾斜した表面部１０４Ａに確実に当接する。
【００６９】
さらに、表面部１０４Ａを後端１１１が高く、土踏まず部１１２に向って表面がなだらかに下向きに傾斜した作用により、靴１０１を履くとつま先部１１４の足裏全体に自然と体重圧が加わって、前屈みや反っくり返ったりすることなく直立姿勢となる効果が発揮される。このため、カップインソール形状を構成する周壁部１１７による足指のホールド作用を確実なものとする。したがって本実施形態の靴底１０２を備えた靴１０１を履けば、姿勢及び歩行が安定し、歩行疲れを防止することができる。
【００７０】
特に、靴１０１としてルームシューズに適用すると、室内での立ち仕事の際に立ち姿勢が良くなり疲れにくくなる。
【００７１】
本実施形態では靴１０１の形態をルームシューズとしているがスニーカー、ハイヒール、ゴルフシューズなどの運動用シューズ、妊婦用シューズ、通勤用の靴等の靴に適用することができる。
【符号の説明】
【００７２】
１…中敷、  ２…靴本体、  １０…インソール本体部、  １０１…靴、  ２，１０２…靴底、１０３…アッパー、１０４…中底、１０５…本底、１０４Ａ…表面部、  １１，１１１…後端、１２，１１２…土踏まず部、  １３，１１３…先端、  １４，１１４…つま先部、  １５，１１５…内側、１６，１１６…外側、１１７…周壁部、  ２０…上生地部、  ２１…基部、  ２２…生地  θ…傾斜角度
【図１】
2020080975.tif 000009
【図２】
2020080975.tif 000010
【図３】
2020080975.tif 000011
【図４】
2020080975.tif 000012
【図５】
2020080975.tif 000013
【図６】
2020080975.tif 000014
【図７】
2020080975.tif 000015
【図８】
2020080975.tif 000016
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
中底の裏面に本底が固定された靴底であって、
前記中底は、表面部の外周縁を周壁部により取り囲んだカップインソール形状に形成されていて、つま先部の内側が外側よりも高さが低く形成され、前記つま先部の表面が外側から内側に向けて下向きに傾斜する傾斜面に形成され、前記中底の表面は、前記踵側の後端が高く、前記踵側の後端から前記土踏まず部に向けてなだらかに下向きに傾斜する傾斜面に形成されていることを特徴とする靴底。
【請求項２】
請求項１において、
前記中底の横断面が、土踏まず部から踵部の間で表面が下向きに凹の湾曲形状に形成されていることを特徴とする靴底。
【請求項３】
請求項１及び２のいずれか１項において、
前記つま先部の傾斜面の傾斜角度は、１０度以下であることを特徴とする靴底。
【請求項４】
請求項３において、
前記つま先部の傾斜面の傾斜角度は、４．７度以上であることを特徴とする靴底。
【請求項５】
請求項１乃至４のいずれか１項に記載の靴底と、足の甲を覆うアッパーとを有することを特徴とする靴。